(57)【要約】【課題】  液晶表示装置のバックライトにおいて、例えば、ＬＥＤ群の一部を順次点滅する際、発光の弱いＬＥＤが点灯，消灯する期間で、輝度値やホワイトバランスがずれ、視覚的に所望の輝度、輝度均一性及びホワイトバランスが得られず、安定した表示ができないという課題がある。【解決手段】  バックライト光源の複数のＬＥＤ群の一部を順次消灯するとともに、フォトセンサ部で検知した光量の変動情報から、各ＬＥＤ群毎の発光する光量を制御する。【選択図】  図１
2005208486.tif 000002
【特許請求の範囲】
【請求項１】
マトリクス状に配列された複数の画素を有する液晶パネルと、
この液晶パネルを駆動する液晶ドライバと、
前記液晶パネルの背面に配置され，該液晶パネルを照射するバックライト光源と、
該バックライト光源を調光制御するバックライト制御部と、
前記バックライト光源の発光する光量を検知するフォトセンサ部とを備える液晶表示装置において、
前記バックライト光源の発光領域は、複数個の分割領域に分割されてなり、前記発光領域は、該複数個の分割領域の中の１個の分割領域を除いて点灯され、且つ、前記１個の分割領域は、前記複数個の分割領域の中から順次選択されて消灯されるとともに、
前記バックライト制御部は、前記フォトセンサ部からの出力を基に、前記複数個の分割領域の各々の発光量を制御することを特徴とする液晶表示装置。
【請求項２】
前記バックライト光源の前記発光領域は、前記液晶パネルのフィールド走査方向に複数個の分割領域に分割されていることを特徴とする請求項１記載の液晶表示装置。
【請求項３】
前記複数個の分割領域の各々は、赤色を発光する発光ダイオード、緑色を発光する発光ダイオード及び青色を発光する発光ダイオードを備えることを特徴とする請求項１に記載の液晶表示装置。
【請求項４】
前記フォトセンサ部は、赤色の光を検知する赤色受光部、緑色の光を検知する緑色受光部及び青色の光を検知する青色受光部で構成され、赤色、緑色及び青色の光量をそれぞれ独立に検知するものであって、前記液晶表示装置内に１つだけ備えることを特徴とする請求項１に記載の液晶表示装置。
【請求項５】
前記バックライト制御部は、前記複数個の分割領域の中の１個の分割領域が消灯される期間の各々において、前記フォトセンサ部からの出力をサンプリングして、このサンプリングされた値を基に、前記複数個の分割領域の各々の発光量を算出して、前記複数個の分割領域の各々の発光量を制御することを特徴とする請求項１に記載の液晶表示装置。
【請求項６】
前記複数個の分割領域の中の前記１個の分割領域が消灯される期間は、該１個の分割領域に対向する前記液晶パネルの領域に存在する前記複数の画素へのデータ書き込み時間に対応していることを特徴とする請求項１記載の液晶表示装置。
【請求項７】
前記複数個の分割領域と前記フォトセンサ部とは、前記複数個の分割領域に結合された複数の導光路と該複数の導光路からの光出力を集める集光器とを介して結合されていることを特徴とする請求項１記載の液晶表示装置。
【発明の詳細な説明】
【技術分野】
【０００１】
本発明は、映像信号を受信するテレビ受信機などに用いる液晶表示装置、特にそのバックライトを改良した液晶表示装置に関する。
【背景技術】
【０００２】
近年、液晶表示装置は、液晶パネルの応答時間の向上、光透過率の向上などの技術的進歩により、主に動画を表示する民生用テレビ受像機市場の中でそのシェアを拡大しつつある。しかし、現状でも動画表示においては映像の動いた部分では尾引き（残像）が検知され画質の低下の一因となっており、改善が望まれている。
【０００３】
この尾引きの原因は、大きく別けて２つあり、一つは液晶自体の応答速度によるものであり、一つはホールド型表示によるものである。
【０００４】
ホールド型表示とは１フィールド期間を常に同じ状態を保持して表示する表示方法であり、人間の目の残光特性とあいまって動画ボケと検知される。これに対し、これまでテレビ受像機に使われる表示手段の主流であったＣＲＴでは画面内のある画素は、１フィールド期間内の一瞬だけ電子ビーム照射により発光させられ蛍光体の残光期間を経た後は発光していない。このような表示をインパルス表示といい、動画であっても尾引きは発生しない。
【０００５】
したがって、現在は液晶表示装置の表示方法をインパルス表示に近づける技術が各種提案されている。たとえば液晶のシャッターを１フィールド期間に１回以上閉じて全画面を黒表示する方法や、バックライトを１フィールド期間に１回以上消灯して全画面を暗くする方法や、その双方を併用する方法などがある。
【０００６】
バックライトを消灯する方法の中の一つである、全画面を一斉に点滅する方法では輝度低下が顕著となるため、その改善策としてバックライトを画面内の一部づつ順次的に消灯、点灯をする方法も提案されているが、バックライトの発光面内での発光量の均一性には配慮がなされていない（例えば、特許文献１参照）。
【０００７】
上記のようにバックライトを点滅する場合、点滅の応答速度や、点滅によるバックライト寿命の低下等の観点から、ＬＥＤ（Light Emitting Diode, 発光ダイオード）をバックライトとして用いると有利である。ＬＥＤをバックライトとして用いる場合、ＬＥＤは温度による輝度変化の素子ごとのばらつきが大きいため、ＬＥＤの発光した光をフォトセンサにより監視し、画面全体の発光状態（輝度、ホワイトバランス）を目標の発光となるようにフィードバック制御するシステムも提案されているが、バックライトの発光面内での発光量の均一性には配慮がなされていない（例えば、非特許文献１参照）。
【０００８】
【特許文献１】特開２０００−２７５６０５号公報
【０００９】
【非特許文献１】「ＦＰＤ International 2003」 プレセミナー第３回“超省エネ・高画質液晶テレビ”を実現するバックライト技術 （2003年4月24日、日経マイクロデバイス主催）資料、 3.5 光学フィードバックシステム (頁5-6)
【発明の開示】
【発明が解決しようとする課題】
【００１０】
ＬＥＤの発光した光をフォトセンサにより監視し、画面全体の発光状態を目標の発光となるようにフィードバック制御する上記従来システム(非特許文献１参照)では、赤色Ｒ、緑色Ｇ、青色Ｂの輝度を画面全体基準で制御する構成となっている。
【００１１】
しかし、ＬＥＤ群が順次点滅する場合（特許文献１参照）、ＬＥＤ群相互間あるいはＬＥＤ群内のＬＥＤ相互間に、発光特性に差異があると、発光量が相対的に低いＬＥＤが点灯或いは消灯する期間では、輝度の低下やホワイトバランスのずれ（同一ＬＥＤ群内での赤色Ｒ、緑色Ｇ、青色Ｂ間のアンバランスに起因する）が生じ、視覚的に所望の輝度、輝度均一性及びホワイトバランスが得られず、安定した表示が実現できないので、これらを解消しなければならないという課題がある。
【００１２】
本発明の目的は、前記課題に鑑みて、バックライト光源の発光領域を複数個の分割領域に分割して、該分割領域を順次消灯し、且つ該分割領域毎に発光量を制御することにより、各分割領域を構成する発光素子の間に、発光特性のバラツキがあっても、バックライトの輝度値、バックライト発光領域内での輝度均一性、及びバックライトのホワイトバランス（各分割領域内でのＲ，Ｇ，Ｂ発光量のバランス）の安定性が向上した液晶表示装置を提供するものである。
【課題を解決するための手段】
【００１３】
本書において開示される発明のうち、代表的なものの概要を説明すれば、下記の通りである。
【００１４】
（１）  マトリクス状に配列された複数の画素を有する液晶パネルと、この液晶パネルを駆動する液晶ドライバと、前記液晶パネルの背面に配置され，該液晶パネルを照射するバックライト光源と、該バックライト光源を調光制御するバックライト制御部と、前記バックライト光源の発光する光量を検知するフォトセンサ部とを備える液晶表示装置において、前記バックライト光源の発光領域は、複数個の分割領域に分割されてなり、前記発光領域は、該複数個の分割領域の中の１個の分割領域を除いて点灯され、且つ、前記１個の分割領域は、前記複数個の分割領域の中から順次選択されて消灯されるとともに、前記バックライト制御部は、前記フォトセンサ部からの出力を基に、前記複数個の分割領域の各々の発光量を制御することを特徴とする液晶表示装置。
【００１５】
（２）  （１）に記載の液晶表示装置において、前記バックライト光源の前記発光領域は、前記液晶パネルのフィールド走査方向に複数個の分割領域に分割されていることを特徴とする液晶表示装置。
【００１６】
（３）  （１）に記載の液晶表示装置において、前記複数個の分割領域の各々は、赤色を発光する発光ダイオード、緑色を発光する発光ダイオード及び青色を発光する発光ダイオードを備えることを特徴とする液晶表示装置。
【００１７】
（４）  （１）に記載の液晶表示装置において、前記フォトセンサ部は、赤色の光を検知する赤色受光部、緑色の光を検知する緑色受光部及び青色の光を検知する青色受光部で構成され、赤色、緑色及び青色の光量をそれぞれ独立に検知するものであって、前記液晶表示装置内に１つだけ備えることを特徴とする液晶表示装置。
【００１８】
（５）  （１）に記載の液晶表示装置において、前記バックライト制御部は、前記複数個の分割領域のの中の１個の分割領域が消灯される期間の各々において、前記フォトセンサ部からの出力をサンプリングして、このサンプリングされた値を基に、前記複数個の分割領域の各々の発光量を算出して、前記複数個の分割領域の各々の発光量を制御することを特徴とする液晶表示装置。
【００１９】
（６）  （１）に記載の液晶表示装置において、前記複数個の分割領域の中の前記１個の分割領域が消灯される期間は、該１個の分割領域に対向する前記液晶パネルの領域に存在する前記複数の画素へのデータ書き込み時間に対応していることを特徴とする液晶表示装置。
【００２０】
（７）  （１）に記載の液晶表示装置において、前記複数個の分割領域と前記フォトセンサ部とは、前記複数個の分割領域に結合された複数の導光路と該複数の導光路からの光出力を集める集光器とを介して結合されていることを特徴とする液晶表示装置。
【発明の効果】
【００２１】
バックライト光源の発光領域を複数個の分割領域に分割して、該分割領域を順次消灯し、且つ該分割領域毎に発光量を制御することにより、各分割領域を構成する発光素子の間に、発光特性のバラツキがあっても、バックライトの輝度値、バックライト発光領域内での輝度均一性、及びバックライトのホワイトバランス（各分割領域内でのＲ，Ｇ，Ｂ発光量のバランス）の安定性が向上した液晶表示装置を実現することができる。
【発明を実施するための最良の形態】
【００２２】
（実施例１）
本発明における実施の形態を説明する。図１は本発明の一実施例における構成を示している。本実施例における液晶表示装置は、マトリクス状に配列された複数の画素を有するＬＣＤ（Liquid Crystal Display）パネル１０９、このＬＣＤパネル１０９を駆動するＬＣＤドライバ１０８、バックライト１００、このバックライト１００を駆動するバックライト制御部１０６、フォトセンサ１０７で構成される。バックライト１００は、垂直方向に分割された領域毎に点灯・消灯する複数のＬＥＤ群、即ち、ＬＥＤ群１０１，ＬＥＤ群１０２，ＬＥＤ群１０３，及びＬＥＤ群１０４で構成される。なお、図１では４つの領域に分割された場合について説明しているが、いくつに分割されていても同様に可能である。
ＬＣＤドライバ１０８は、映像信号とフィールド同期信号を受けて、ＬＣＤパネル１０９を駆動し画像を表示する。バックライト駆動制御部１０６は、フィールド同期信号を受けて、４つに分割されているバックライト１００内のＬＥＤ群１０１〜ＬＥＤ群１０４を、１フィールドの周期に同期して、点灯・消灯を順次に行うように駆動する。フォトセンサ１０７は、バックライト１００の発光量を検知し、バックライト駆動制御部１０６へフィードバックする。
【００２３】
ここで、ＬＣＤパネル１０９への書き込みタイミングと、バックライトの順次点灯・消灯タイミングについて説明する。図２は、１フィールド内の時間的期間における、ＬＣＤパネル１０９の書き込み位置と，ＬＥＤ群１０１〜 ＬＥＤ群１０４の点灯・消灯の関係を示している。期間Ｔ１では、ＬＣＤパネル１０９は一番上の部分の画像データを書き込み更新し、バックライト１００は、ＬＣＤパネル１０９の書き込み部分に対応するＬＥＤ群１０１を消灯、その他のＬＥＤ群１０２〜 ＬＥＤ群１０４は点灯する。期間Ｔ２では、ＬＣＤパネル１０９は上から二番目の部分の画像データを書き込み更新し、バックライト１００は、ＬＣＤパネル１０９の書き込み部分に対応するＬＥＤ群１０２を消灯、その他のＬＥＤ群１０１、 ＬＥＤ群１０３、 ＬＥＤ群１０４は点灯する。同様に期間Ｔ３では、ＬＣＤパネル１０９が三番目の部分を書き込み更新しＬＥＤ群１０３のみを消灯、期間Ｔ４ではＬＣＤパネル１０９が四番目の部分を書き込み更新しＬＥＤ群１０４のみを消灯する。このようにＬＣＤパネルの書き込みが行われボケの発生が顕著な期間に、その部分のバックライトを消灯することで、ボケた映像を表示しないようにしている。
【００２４】
次にバックライト駆動制御について説明する。図３は、図１に示したバックライト１００、バックライト駆動制御部１０６、フォトセンサ１０７で構成される制御系の詳細を示している。フォトセンサ１０７は、赤色の光を検知する赤色受光部２１７，緑色の光を検知する緑色受光部２１８及び青色の光を検知する青色受光部２１９を備えている。
【００２５】
ＬＥＤ群２０１〜ＬＥＤ群２０４の各々は、Ｒ（Red, 赤）色発光ＬＥＤ R-LED、Ｇ（Green, 緑）色発光ＬＥＤ G-LED、Ｂ（Blue, 青）色発光ＬＥＤ B-LEDの３色のＬＥＤで構成される。ＬＥＤ群２０１のＲ色発光ＬＥＤ R-LEDを２０１Ｒ、ＬＥＤ群２０１のＧ色発光ＬＥＤ G-LEDを２０１Ｇ、ＬＥＤ群２０１のＢ色発光ＬＥＤ B-LEDを２０１Ｂとし、ＬＥＤ群２０２〜ＬＥＤ群２０４についても同様に図３内に記号をつけて記載している。
【００２６】
なお、図３における、Ｒ色発光ＬＥＤ ２０１Ｒ〜２０４Ｒ，Ｇ色発光ＬＥＤ ２０１Ｇ〜２０４Ｇ及びＢ色発光ＬＥＤ ２０１Ｂ〜２０４Ｂの各々は、所要の個数の発光ダイオードからなっているものとする。
【００２７】
バックライト駆動制御部１０６は、ＬＥＤ駆動部２１３〜２１６、タイミング制御部２２０、ゲイン制御部２２１で構成される。ＬＥＤ駆動部２１３〜２１６は、それぞれＬＥＤ群２０１〜ＬＥＤ群２０４の３色ＬＥＤを点灯・消灯制御する。タイミング制御部２２０は、ＬＥＤ駆動部２１３〜２１６の点灯・消灯タイミングを規定するタイミング信号を発生し、ＬＥＤ駆動部２１３〜２１６へ供給する。
【００２８】
タイミング制御部２２０が発生するタイミング信号を図４に示す。図４の最上段には、タイミング制御の基準となる垂直同期信号の１フレーム期間を示している。その下のＴＣ１〜ＴＣ４は、それぞれＬＥＤ群２０１〜ＬＥＤ群２０４のタイミング制御信号を示している。タイミング制御信号ＴＣ１〜ＴＣ４が高いレベルのときにそれぞれに対応するＬＥＤ群が点灯し、低いレベルのときに対応するＬＥＤ群が消灯する構成となっている。図４のようにタイミング制御信号ＴＣ１〜ＴＣ４の低いレベルを時間的に順番にずらすことにより、図２にて説明した、バックライト１００のＬＥＤ群の順次点滅を実現することができる。
【００２９】
次にゲイン制御部２２１は、ＬＥＤ駆動部２１３〜２１６がＬＥＤ群２０１〜ＬＥＤ群２０４を駆動する際の、ＬＥＤの発光量を規定する駆動信号のゲインを制御し、ＬＥＤの発光量を制御する。また、ゲイン制御部２２１には、フォトセンサ１０７からのＲ，Ｇ，Ｂの発光量検出信号と、タイミング制御部２２０からのタイミング信号が導かれ、フォトセンサ１０７からのＲ，Ｇ，Ｂの発光量検出信号を、タイミング制御部２２０からのタイミング信号の切り替わりごとにサンプリングして、期間別の発光量検出信号を生成し、この情報を基に上記のゲイン制御を行う。
【００３０】
次に、ゲイン制御部２２１の制御アルゴリズムについて説明する。まず、ＬＥＤ群２０１〜ＬＥＤ群２０４の発光量にばらつきのない場合の、フォトセンサ１０７からのＲ検出信号の示す値の時間的推移を図５に示す。
【００３１】
期間Ｔ１では、図３に示してあるＬＥＤ群２０２のＬＥＤ２０２Ｒの発光量Ｒ２、ＬＥＤ群２０３のＬＥＤ２０３Ｒの発光量Ｒ３、及びＬＥＤ群２０４のＬＥＤ２０４Ｒの発光量Ｒ４の和ＲＤＥＴ１（＝Ｒ２＋Ｒ３＋Ｒ４）が、フォトセンサ１０７のＲ検出信号として検出される。
【００３２】
期間Ｔ２では、ＬＥＤ群２０１のＬＥＤ２０１Ｒの発光量Ｒ１、ＬＥＤ群２０３のＬＥＤ２０３Ｒの発光量Ｒ３、及びＬＥＤ群２０４のＬＥＤ２０４Ｒの発光量Ｒ４の和ＲＤＥＴ２（＝Ｒ１＋Ｒ３＋Ｒ４）が検出される。
【００３３】
同様に期間Ｔ３では、ＲＤＥＴ３（＝Ｒ１＋Ｒ２＋Ｒ４）が検出され、期間Ｔ４ではＲＤＥＴ４（＝Ｒ１＋Ｒ２＋Ｒ３）が検出される。
【００３４】
ＬＥＤ群２０１〜ＬＥＤ群２０４の発光量にばらつきのない場合には、
Ｒ１＝Ｒ２＝Ｒ３＝Ｒ４＝Ｒ  ・・・・（１）
であり、図５に示すように、
ＲＤＥＴ１＝ＲＤＥＴ２＝ＲＤＥＴ３＝ＲＤＥＴ４＝３*Ｒ・・・・（２）
であり、検出量に時間的変動はない。
【００３５】
次にＬＥＤ群２０１〜ＬＥＤ群２０４の発光量にばらつきのある場合を、図６に示す。図６は、ＬＥＤ２０２Ｒの発光量Ｒ２のみが発光量Ｒ１、Ｒ３、Ｒ４に比べて若干小さい場合、つまり、
Ｒ２‘＝Ｒ２−Δｒ２（Δｒ２＞０）・・・・（３）
となった場合を示している。このとき、ＲＤＥＴ１〜 ＲＤＥＴ４は以下のような関係となる。
【００３６】
ＲＤＥＴ１＝Ｒ２‘＋Ｒ３＋Ｒ４＝３*Ｒ−Δｒ２・・・・（４）
ＲＤＥＴ２＝Ｒ１＋Ｒ３＋Ｒ４＝３*Ｒ・・・・・・・・・（５）
ＲＤＥＴ３＝Ｒ１＋Ｒ２‘＋Ｒ４＝３*Ｒ−Δｒ２・・・・（６）
ＲＤＥＴ４＝Ｒ１＋Ｒ２‘＋Ｒ３＝３*Ｒ−Δｒ２・・・・（７）
ゲイン制御部２２１は、フォトセンサ１０７からの発光量の和、ＲＤＥＴ１〜ＲＤＥＴ４を受けて、ＲＤＥＴ１〜ＲＤＥＴ４の大小関係とその差分値を求める。
【００３７】
例えば、
ＲＤＥＴ２＞ＲＤＥＴ１＝ＲＤＥＴ３＝ＲＤＥＴ４
ＲＤＥＴ２−ＲＤＥＴ１＝Δｒ２
ＲＤＥＴ２−ＲＤＥＴ３＝Δｒ２
ＲＤＥＴ２−ＲＤＥＴ４＝Δｒ２
であれば、ＬＥＤ群２０２のＬＥＤ２０２Ｒの発光量がΔｒ２だけ弱いことを検出することができる。
【００３８】
この検出結果を基に、ゲイン制御部２２１は、ＬＥＤ群２０２を駆動するＬＥＤ駆動部２１４へ、ＬＥＤ２０２Ｒの発光量をΔｒ２だけ強めることを指示する制御信号を与える。これにより、ＬＥＤ２０２Ｒの発光量がＲ２になるため、上記（２）式の関係に保つことが可能となる。
【００３９】
ここでは、Ｒ信号のみ説明したがＧ信号及びＢ信号に関しても同様に制御する。
【００４０】
本実施例の構成では、前記フォトセンサを一つのみ配置することを特徴としている。こうすることで、フォトセンサ毎の特性のばらつきを排除することができ、かつコスト的にも低く抑えることができるという利点がある。
【００４１】
また、ゲイン制御部２２１は、多くの演算処理を行うため、マイコンで構成することが望ましい。
（実施例２）
次に、本発明の第二の実施例を説明する。図７は第二の実施例における構成を示している。この構成は、第一の実施例である図１の構成に加え、例えば光ファイバからなる導光路７０１〜７０４及び７０６と、集光器７０５で構成される。導光路７０１はＬＥＤ群１０１の付近の光を集光器７０５へ導く。同様に導光路７０２〜７０４はそれぞれＬＥＤ群１０２〜ＬＥＤ群１０４の付近の光を集光器７０５へ導く。集光器７０５は導光路７０１〜７０４から導かれた光を集め、導光路７０６を通してフォトセンサ１０７へ導く。この構成にすることにより、フォトセンサ１０７とＬＥＤ群１０２〜ＬＥＤ群１０４との距離の違いによる光量の誤差が少なくなり、より正確な光量検出を行うことが可能となる。また、フォトセンサ１０７の配置位置による性能への影響が殆どないため、フォトセンサ１０７の配置位置の自由度が高いという利点もある。
【図面の簡単な説明】
【００４２】
【図１】本発明の一実施例の構成を説明するブロックダイアグラム。
【図２】本発明の一実施例における液晶パネルとバックライトの動作を説明する図。
【図３】本発明の第一の実施例におけるバックライト部及びバックライト制御部の詳細ブロックダイアグラム。
【図４】本発明の第一の実施例におけるタイミング制御信号のタイミングチャート。
【図５】フォトセンサの検出した光量を説明する図。
【図６】フォトセンサの検出した光量を説明する図。
【図７】本発明の第二の実施例の構成を説明するブロックダイアグラム。
【符号の説明】
【００４３】
１００…バックライト、
１０１…ＬＥＤ群１、
１０２…ＬＥＤ群２、
１０３…ＬＥＤ群３、
１０４…ＬＥＤ群４、
１０６…バックライト駆動制御部、
１０７…フォトセンサ、
１０８…ＬＣＤドライバ、
１０９…ＬＣＤパネル、
２０１Ｒ…ＬＥＤ群２０１のＲ色発光ＬＥＤ、
２０１Ｇ…ＬＥＤ群２０１のＧ色発光ＬＥＤ、
２０１Ｂ…ＬＥＤ群２０１のＢ色発光ＬＥＤ、
２０２Ｒ…ＬＥＤ群２０２のＲ色発光ＬＥＤ、
２０２Ｇ…ＬＥＤ群２０２のＧ色発光ＬＥＤ、
２０２Ｂ…ＬＥＤ群２０２のＢ色発光ＬＥＤ、
２０３Ｒ…ＬＥＤ群２０３のＲ色発光ＬＥＤ、
２０３Ｇ…ＬＥＤ群２０３のＧ色発光ＬＥＤ、
２０３Ｂ…ＬＥＤ群２０３のＢ色発光ＬＥＤ、
２０４Ｒ…ＬＥＤ群２０４のＲ色発光ＬＥＤ、
２０４Ｇ…ＬＥＤ群２０４のＧ色発光ＬＥＤ、
２０４Ｂ…ＬＥＤ群２０４のＢ色発光ＬＥＤ、
２１３…ＬＥＤ群２０１を駆動するＬＥＤ駆動部、
２１４…ＬＥＤ群２０２を駆動するＬＥＤ駆動部、
２１５…ＬＥＤ群２０３を駆動するＬＥＤ駆動部、
２１６…ＬＥＤ群２０４を駆動するＬＥＤ駆動部、
２２０…タイミング制御部、
２２１…ゲイン制御部、
７０１〜７０４…導光路、
７０５…集光器
【図１】
2005208486.tif 000003
【図２】
2005208486.tif 000004
【図３】
2005208486.tif 000005
【図４】
2005208486.tif 000006
【図５】
2005208486.tif 000007
【図６】
2005208486.tif 000008
【図７】
2005208486.tif 000009